(57)【要約】【課題】プラズマディスプレイ装置において複数のサステイン回路に付随する電力回収回路を簡素化し、回路コストを低減すること。【解決手段】走査電極駆動回路１００Ｙと共通電極駆動回路１００Ｘは、それぞれ奇数ライン電極用の第１サステイン駆動回路１０Ｙｏ，１０Ｘｏと偶数ライン電極用の第２サステイン駆動回路１０Ｙｅ，１０Ｘｅを有する。走査電極側および共通電極側の電力回収回路３０Ｙ，３０Ｘは、それぞれサステイン放電動作の立ち上げ期間に奇数ライン電極または偶数ライン電極へ電力の供給を行うとともに、立ち下げ期間に電力の回収を行う。電力回収回路３０Ｙ，３０Ｘは、第１サステイン駆動回路１０Ｙｏ，１０Ｘｏと第２サステイン駆動回路１０Ｙｅ，１０Ｘｅに共有される。【選択図】図５
2008151960.tif 000002
【特許請求の範囲】
【請求項１】
プラズマディスプレイパネルの走査電極と共通電極に電力を供給してサステイン放電を行う走査電極サステイン駆動回路と共通電極サステイン駆動回路を備え、上記走査電極と共通電極をノンインターレース駆動するプラズマディスプレイ装置において、
サステイン放電動作の立ち上げ期間に上記走査電極または上記共通電極へ電力の供給を行うとともに、立ち下げ期間に電力の回収を行う電力回収回路を備え、
上記走査電極サステイン駆動回路と上記共通電極サステイン駆動回路は上記電力回収回路を共有し、該電力回収回路を交互に動作させて使用することを特徴とするプラズマディスプレイ装置。
【請求項２】
請求項１記載のプラズマディスプレイ装置において、
前記電力回収回路は、前記走査電極サステイン駆動回路と前記共通電極サステイン駆動回路に対し、各々電力供給用および電力回収用のスイッチで接続され、該スイッチのオン・オフを切り換えることで該電力回収回路を交互に使用することを特徴とするプラズマディスプレイ装置。
【請求項３】
プラズマディスプレイパネルの走査電極と共通電極に電力を供給してサステイン放電を行う走査電極サステイン駆動回路と共通電極サステイン駆動回路を備え、さらに該走査電極サステイン駆動回路と該共通電極サステイン駆動回路は、それぞれ奇数ライン電極用の第１サステイン駆動回路と偶数ライン電極用の第２サステイン駆動回路を有し、上記奇数ライン電極と上記偶数ライン電極とをインターレース駆動するプラズマディスプレイ装置において、
サステイン放電動作の立ち上げ期間に上記奇数ライン電極または上記偶数ライン電極へ電力の供給を行うとともに、立ち下げ期間に電力の回収を行う走査電極側および共通電極側の電力回収回路を備え、
上記走査電極側の第１サステイン駆動回路と第２サステイン駆動回路は上記走査電極側の電力回収回路を共有し、上記共通電極側の第１サステイン駆動回路と第２サステイン駆動回路は上記共通電極側の電力回収回路を共有して、それぞれ該電力回収回路を交互に動作させて使用することを特徴とするプラズマディスプレイ装置。
【請求項４】
請求項３記載のプラズマディスプレイ装置において、
前記走査電極側および共通電極側のそれぞれの電力回収回路は、前記第１サステイン駆動回路と前記第２サステイン駆動回路に対し、各々電力供給用および電力回収用のスイッチで接続され、該スイッチのオン・オフを切り換えることで該電力回収回路を交互に使用することを特徴とするプラズマディスプレイ装置。
【請求項５】
請求項１または３記載のプラズマディスプレイ装置において、
前記電力回収回路は、コイルとダイオードおよび電力を蓄積するコンデンサを含むことを特徴とするプラズマディスプレイ装置。
【請求項６】
請求項３記載のプラズマディスプレイ装置において、
前記走査電極側および共通電極側の電力回収回路を１個に共通化し、
前記走査電極側の第１サステイン駆動回路と第２サステイン駆動回路、および前記共通電極側の第１サステイン駆動回路と第２サステイン駆動回路は、該共通化した１個の電力回収回路を交互に動作させて使用することを特徴とするプラズマディスプレイ装置。
【発明の詳細な説明】
【技術分野】
【０００１】
本発明は、プラズマディスプレイパネルを用いたプラズマディスプレイ装置に関する。
【背景技術】
【０００２】
近年、プラズマディスプレイパネル（以下、ＰＤＰと省略する）は、自己発光型であるため、視認性がよく、薄型で大画面表示及び高速表示が可能であるからＣＲＴに代わる表示パネルとして実用化されている。
【０００３】
このＰＤＰの表示方式には、１つのフィールドで全ての表示ラインを表示するノンインターレース（プログレッシブ）方式と、奇数番目の表示ラインを表示する奇数フィールドと偶数番目の表示ラインを表示する偶数フィールドを交互に表示するインターレース方式がある。後者のインターレース方式については、ＡＬＩＳ（Ａｌｔｅｒｎａｔｅ  Ｌｉｇｈｔｉｎｇ  ｏｆ  Ｓｕｒｆａｃｅｓ  Ｍｅｔｈｏｄ）方式と呼ばれる方式が提案され、高精細の表示を低コストで実現するものとして注目されている。従来のＰＤＰが対をなす表示電極（ＸおよびＹ電極）で１表示ラインが形成されるのに対して、ＡＬＩＳ方式では隣接する表示電極のすべての間で表示ラインを形成することにより、同数の表示電極数であれば２倍の表示ラインが実現でき、同数の表示ライン数を形成するのであれば半分の電極数で実現できるものである（例えば、特許文献１参照）。
【０００４】
またＰＤＰ駆動回路では、各表示セルでの放電を維持させるために表示電極に電力を供給するサステイン回路を備え、サステイン回路には電力回収回路を付随させる。この電力回収回路は、コイルとＰＤＰのパネル容量Ｃｐとで形成される共振作用により、パネル容量Ｃｐに蓄積された電荷を回収コンデンサに回収し、また回収コンデンサにより回収した電荷をパネル容量Ｃｐに供給する動作を行うことで、サステイン回路からＰＤＰへ新たに供給する電力を低減させるものである（例えば、特許文献２参照）。
【０００５】
【特許文献１】特開平９−１６０５２５号公報
【特許文献２】特開昭６３−１０１８９７号公報
【発明の開示】
【発明が解決しようとする課題】
【０００６】
ＰＤＰ駆動回路において、維持放電を行うための上記サステイン回路を複数個備えている。例えばプログレッシブ方式ではＸ電極用とＹ電極用に２個、ＡＬＩＳ方式では、さらに奇数列と偶数列に分けて計４個のサステイン回路を備える。そして、これらのサステイン回路にはそれぞれ個別に電力回収回路が付随する構成となっている。
【０００７】
ところで、例えばＡＬＩＳ方式の場合、総表示ラインの内、半分（例えば奇数番目）を奇数フィールドで表示し、残りの半分（例えば偶数番目）を偶数フィールドで表示する。これを実現するために、各フィールドで、Ｘ，Ｙそれぞれの電極側の２個のサステイン回路は、交互に接地電位に固定させることになる。従って、接地電位に固定されたサステイン回路に付随する電力回収回路は、接地されている期間、電力回収の動作を休止することになる。言い換えれば、２個の電力回収回路は一方が電力回収をしている期間、他方は電力回収の動作を休止していることになる。これは、プログレッシブ方式の場合にも同様である。すなわち、Ｘ電極用とＹ電極用の２個のサステイン回路に付随する２個の電力回収回路に関し、一方が電力回収をしているアクティブな期間、他方は電力回収の動作を休止していることになる。
【０００８】
このように、２個あるいは４個の電力回収回路を備えながら、これらは同時に動作させることがなく交互に動作させるのは回路構成が冗長で無駄があると言える。従来このような電力回収回路の冗長な構成については何ら考慮されていなかった。
【０００９】
本発明の目的は、複数のサステイン回路に付随する電力回収回路を簡素化し、回路コストを低減することにある。
【課題を解決するための手段】
【００１０】
本発明は、プラズマディスプレイパネルの走査電極と共通電極に電力を供給してサステイン放電を行う走査電極サステイン駆動回路と共通電極サステイン駆動回路を備え、走査電極と共通電極をノンインターレース駆動するプラズマディスプレイ装置において、サステイン放電動作の立ち上げ期間に走査電極または共通電極へ電力の供給を行うとともに、立ち下げ期間に電力の回収を行う電力回収回路を備え、走査電極サステイン駆動回路と共通電極サステイン駆動回路は電力回収回路を共有し、電力回収回路を交互に動作させて使用する構成である。
【００１１】
また本発明は、プラズマディスプレイパネルの走査電極と共通電極に電力を供給してサステイン放電を行う走査電極サステイン駆動回路と共通電極サステイン駆動回路を備え、さらに走査電極サステイン駆動回路と共通電極サステイン駆動回路は、それぞれ奇数ライン電極用の第１サステイン駆動回路と偶数ライン電極用の第２サステイン駆動回路を有し、奇数ライン電極と偶数ライン電極とをインターレース駆動するプラズマディスプレイ装置において、サステイン放電動作の立ち上げ期間に奇数ライン電極または偶数ライン電極へ電力の供給を行うとともに、立ち下げ期間に電力の回収を行う走査電極側および共通電極側の電力回収回路を備え、走査電極側の第１サステイン駆動回路と第２サステイン駆動回路は走査電極側の電力回収回路を共有し、共通電極側の第１サステイン駆動回路と第２サステイン駆動回路は共通電極側の電力回収回路を共有して、それぞれ電力回収回路を交互に動作させて使用する構成とする。
【発明の効果】
【００１２】
本発明によれば、複数のサステイン回路に付随する電力回収回路を簡素化し、回路コストを低減する効果がある。
【発明を実施するための最良の形態】
【００１３】
以下、本発明の最良の形態について、図面を参照しながら詳細に説明する。なお、各図において、共通な機能を有する要素には同一な符号を付して示し、一度述べたものについては、その重複する説明を省略する。
【実施例１】
【００１４】
実施例１では、本発明をプログレッシブ方式のプラズマディスプレイ装置に適用した場合について述べる。図１は、実施例１に係わるプログレッシブ方式のプラズマディスプレイ装置の全体構成図、図２はＰＤＰの駆動回路の詳細図、図３は駆動回路の動作を説明する各部の電圧波形図である。
【００１５】
まず、図１を用いてプログレッシブ方式のプラズマディスプレイ装置の構成について説明する。プログレッシブ方式のＰＤＰ６０では、ｎ本のＹ電極（走査電極）６２とｎ本のＸ電極（共通電極）６１を隣接して交互に配置し、一対毎のＹ電極とＸ電極間で表示発光を行う。従って、２ｎ本の電極で、ｎ本の表示ラインが形成される。なお、Ｙ電極とＸ電極は、以下表示電極と呼ぶことにする。アドレス電極６３は、表示電極と垂直な方向に設けられ、Ｘ電極およびＹ電極で形成される各表示ラインと各アドレス電極との交点部分にそれぞれ表示セル（図示せず）が形成される。
【００１６】
プログレッシブ方式では、一対毎の各表示電極（Ｙ電極とＸ電極）間を表示のための放電に利用し、全表示ラインで同時に表示を行うノンインターレース走査を行う。
【００１７】
Ｙ電極はスキャンドライバ２０に接続され、スキャンドライバ２０にはスイッチ２１が設けられており、後述する駆動制御回路７０からの制御信号によって、アドレス期間には順にスキャンパルス（図示せず）が印加されるように切り換えられる。
【００１８】
ＸＹ電極駆動回路２００は、詳細は図２で後述するが、Ｙサステイン回路１０Ｙ、Ｘサステイン回路１０Ｘおよび電力回収回路３０を含む。ここに電力回収回路３０は、Ｙサステイン回路１０ＹとＸサステイン回路１０Ｘとで共用する構成としている。なおサステイン放電（維持放電）期間には、Ｙ電極はＸＹ電極駆動回路２００のＹサステイン回路１０Ｙに接続されるように切り換えられる。このとき、Ｘ電極はＸＹ電極駆動回路２００のＸサステイン回路１０Ｘに接続される。
【００１９】
また、アドレス電極６３は、アドレス回路５０に接続される。画像信号処理回路８０は、入力された画像信号をプラズマディスプレイ装置内部での動作に適した形式に変換した後、アドレス回路５０に供給する。アドレス回路５０は、画像信号処理回路８０で変換された画像データに基づいて、アドレス期間に、スキャンドライバ２０からのスキャンパルスに応じて、表示させる画素データをアドレス電極に出力する。これによって、アドレス放電が生じる。
【００２０】
駆動制御回路７０は、プラズマディスプレイ装置の各部を制御する信号を発生して供給する。なお、図１では省略しているが、この構成にチューナ、映像音声処理回路、電源回路等を付加すれば、テレビ放送を受信し視聴できるテレビジョン受信装置とすることができる。
【００２１】
実施例１によるプログレッシブ方式のプラズマディスプレイ装置は、上記のように構成されており、アドレス期間には、スキャンドライバ２０からのスキャンパルスに応じて、アドレス回路５０から対応した画素データが出力され、ＰＤＰ６０はアドレス放電を行う。また、サステイン放電期間には、Ｙサステイン回路１０ＹおよびＸサステイン回路１０Ｘによって、全表示ラインが駆動され、ＰＤＰ６０はサステイン放電を行う。
【００２２】
次に、図２を用いて、本実施例におけるＸＹ電極駆動回路２００について説明する。ＸＹ電極駆動回路２００は、ＰＤＰ６０をＹ電極側から駆動するＹサステイン回路１０Ｙ、Ｘ電極側から駆動するＸサステイン回路１０Ｘ、これらに共通の電力回収回路３０、および電力回収回路３０を交互に切り換えて各サステイン回路１０Ｙ，１０Ｘに接続するためのスイッチ３３、３４、３８および３９を含む。以下、Ｙサステイン回路１０Ｙ，Ｘサステイン回路１０Ｘ、および電力回収回路３０の詳細構成について説明する。なお、Ｙサステイン回路１０ＹとＸサステイン回路１０Ｘにおいて、同一な機能を有する対応した要素には同一な符号を付して示し、区別する必要がある場合には、符号の後に添え字ｙ、ｘを付すものとする。
【００２３】
Ｙサステイン回路１０Ｙは、例えばＭＯＳＦＥＴで構成されたスイッチ１ｙと２ｙを含む。電力回収回路３０は、コイル３１とダイオード３２を直列接続し、これにコイル３６とダイオード３５を直列接続したものを並列接続し、一方の接続点と接地電位との間にコンデンサ３７を設ける。そして、他方の接続点を各々スイッチ３３と３４を介してＹサステイン回路１０Ｙへ、同様にスイッチ３８と３９を介してＸサステイン回路１０Ｘへ接続したものである。電力回収回路３０は、コイルとＰＤＰのパネル容量Ｃｐとで形成される共振作用により、ＰＤＰ６０の図示しないパネル容量Ｃｐから電力を回収し、またパネル容量Ｃｐに電力を供給する。すなわち、スイッチ３４と３９はこれをオンすることでＹ電極６２とＸ電極６１のパネル容量Ｃｐから電力を回収してコンデンサ３７に蓄積し、スイッチ３３と３８はこれをオンすることでコンデンサ３７に蓄積した電力をＹ電極６２とＸ電極６１のパネル容量Ｃｐに供給する。このように、スイッチ３３と３４、スイッチ３８と３９は、１つの電力回収回路３０をＹサステイン回路１０ＹとＸサステイン回路１０Ｘに交互に切り換えて接続するための制御スイッチの機能も兼ね合わせている。
【００２４】
サステイン放電期間（維持放電期間ともいう）に、Ｙサステイン回路１０Ｙは、スキャンドライバ２０を通じてＰＤＰ６０のＹ電極に所定の電圧を印加するが、スキャンドライバ２０にはスイッチ２１が搭載され、このスイッチ２１はサステイン動作時には導通状態になってサステイン電圧がそのままＹ電極に伝わるようになっている。また、Ｘサステイン回路１０Ｘは、Ｙサステイン回路のサステイン動作に同期して、ＰＤＰ６０のＸ電極に所定の電圧を印加する。
【００２５】
次に、図３を用いて、プログレッシブ動作におけるサステイン放電期間の駆動方法について説明する。サステイン放電サイクルをｔ１からｔ７の期間に分けて示す。
【００２６】
図３（ａ）は、各Ｘ電極（Ｘｎ），Ｙ電極（Ｙｎ）の駆動電圧波形である。ｔ２期間では、電極Ｙｎに電圧Ｖｓを印加し、電極Ｘｎをグランドレベル（接地電位）とし、電極ＸｎとＹｎ間で放電を行わせる。ｔ６期間では、これらの電圧を反転し、電極Ｙｎをグランドレベル（接地電位）とし、電極Ｘｎに電圧Ｖｓを印加して、同様に放電を行わせる。これを周期に交互に繰り返す。
【００２７】
図３（ｂ）（ｃ）は、電力回収回路の切り換え動作について説明するもので、（ｂ）はＹ電極側の各スイッチ１ｙ，２ｙ，３３，３４のスイッチング動作を、（ｃ）はＸ電極側の各スイッチ１ｘ，２ｘ，３８，３９のスイッチング動作を示す。以下、各期間ごとに説明する。
【００２８】
＜ｔ１期間＞
サステイン放電は、各表示ラインを点灯させるために、まずＹ電極（以下、Ｙｎ電極で代表する）に電圧Ｖｓを印加し、Ｘ電極（以下、Ｘｎ電極で代表する）をグラウンドレベル（接地電位）とする。この際の立ち上げ期間であるｔ１期間では、Ｙｎ電極に電力回収回路３０のコンデンサ３７から電力を供給する。そこで、Ｙ電極側では、スイッチ３３がオンし、電力回収回路３０がＹｎ電極に接続される。また、Ｘｎ電極をゼロレベル（接地電位）とするためにＸサステイン回路１０Ｘのスイッチ１ｘがオンする。他のスイッチはオフである。これにより、Ｙｎ電極に電力回収回路３０から電力が供給される。
【００２９】
＜ｔ２期間＞
この期間ｔ２では、Ｙｎ電極に電圧Ｖｓを与える。そのため、Ｙ電極側では、Ｙサステイン回路１０Ｙのスイッチ２ｙがオンする。また、Ｘ電極側では、引き続きＸｎ電極はゼロレベルなので、Ｘサステイン回路１０Ｘのスイッチ１ｘはオンを継続する。他のスイッチはオフである。
【００３０】
＜ｔ３期間＞
この期間ｔ３は、Ｙｎ電極への印加電圧の立ち下げ期間である。この期間では、ＰＤＰ６０に蓄積された電荷を電力回収回路３０で回収する。そこで、Ｙ電極側では、Ｙサステイン回路１０Ｙのスイッチ２ｙがオフ、スイッチ３４がオンし、Ｙｎ電極に電力回収回路３０が接続される。Ｘ電極側では、Ｘｎ電極は引き続きゼロレベルで、Ｘサステイン回路１０Ｘのスイッチ１ｘはオンを継続する。これにより、Ｙｎ電極から電力回収回路３０に電力が回収される。
【００３１】
＜ｔ４期間＞
この期間ｔ４は、次のサステイン放電への隙間期間である。そこで、全てのＹ電極とＸ電極をゼロレベルにするために、Ｙサステイン回路１０Ｙのスイッチ１ｙがオンし、スイッチ３４ｙはオフする。第１のＸサステイン回路１０Ｘのスイッチ１ｘは引き続きオンが継続する。
【００３２】
＜ｔ５期間＞
ｔ４期間に続いて、Ｙｎ電極およびＸｎ電極に印加する電圧を反転するサイクルに入る。すなわち、Ｙｎ電極をグランドレベル（接地電位）とし、Ｘｎ電極に電圧Ｖｓを印加するサイクルとする。ｔ５はこのサイクルの立ち上げ期間である。このｔ５期間では、電力回収回路３０からＸｎ電極に電力を供給する。そこで、Ｙ電極側では、Ｙｎ電極をゼロレベルにするために、Ｙサステイン回路１０Ｙのスイッチ１ｙはオンが継続する。また、Ｘ電極側では、スイッチ３８がオンし、Ｘサステイン回路１０Ｘのスイッチ１ｘがオフし、電力回収回路３０がＸｎ電極に接続される。これにより、Ｘｎ電極に電力回収回路３０から電力が供給される。
【００３３】
＜ｔ６期間＞
この期間ｔ６では、Ｘｎ電極に電圧Ｖｓを与える。そのため、Ｙ電極側では、引き続きＹｎ電極をゼロレベルにするためＹサステイン回路１０Ｙのスイッチ１ｙはオンが継続し、他のスイッチはオフする。また、Ｘ電極側では、Ｘサステイン回路１０Ｘのスイッチ２ｘがオンし、他のスイッチはオフする。
【００３４】
＜ｔ７期間＞
この期間ｔ７は、Ｘｎ電極への印加電圧の立ち下げ期間である。この期間では、ＰＤＰ６０に蓄積された電荷を電力回収回路３０で回収する。そこで、Ｙ電極側では、Ｙ１電極は引き続きゼロレベルであり、Ｙサステイン回路１０Ｙのスイッチ１ｙはオンが継続する。Ｘ電極側では、Ｘサステイン回路１０Ｘのスイッチ２ｘがオフ、スイッチ３９がオンし、Ｘｎ電極に電力回収回路３０が接続される。これにより、Ｘｎ電極から電力回収回路３０に電力が回収される。
【００３５】
以上でサステイン放電の１周期が終わり、以降、この放電サイクルを繰り返し続ける。
【００３６】
以上述べたように、実施例１によれば、Ｘ電極またはＹ電極サステイン回路は１つの電力回収回路を共有し、接地されてないアクティブなサステイン回路側に電力回収回路の接続を交互に切り換えることにより、電力回収を支障なしに行うことができる。これにより、従来２個用いていた電力回収回路を１個に削減し、基板の小型化とともにコストダウンを図ることができる。
【実施例２】
【００３７】
実施例２では、本発明をインターレース方式であるＡＬＩＳ方式のプラズマディスプレイ装置に適用した場合について述べる。図４は、実施例２に係わるプラズマディスプレイ装置の全体構成図、図５はＰＤＰの駆動回路の詳細図で、図６は駆動回路の動作を説明する各部の電圧波形図である。
【００３８】
まず、図４を用いてＡＬＩＳ方式のプラズマディスプレイ装置の構成について説明する。ＡＬＩＳ方式のＰＤＰ６０では、ｎ本のＹ電極（走査電極）６２とｎ＋１本のＸ電極（共通電極）６１を隣接して交互に配置し、全てのＹ電極とＸ電極（以下、双方とも表示電極と呼ぶ）の間で表示発光を行う。従って、２ｎ＋１本の表示電極で、２ｎ本の表示ラインが形成される。アドレス電極６３と、Ｘ電極およびＹ電極で形成される各表示ラインの交点部分に表示セル（図示せず）が形成される。
【００３９】
ＡＬＩＳ方式では、全ての表示電極間を表示のための放電に利用するが、それらの放電を同時に発生することはできない。そこで、表示を奇数ラインと偶数ラインで時間的に分割する、いわゆるインターレース走査を行う。奇数フィールドでは奇数番目の表示ラインで表示を行い、偶数フィールドでは偶数番目の表示ラインで表示を行って、全体として奇数フィールドと偶数フィールドの表示を合わせた表示を得るようになっている。
【００４０】
Ｙ電極はスキャンドライバ２０に接続されている。スキャンドライバ２０にはスイッチ２１が設けられており、後述する駆動制御回路７０からの制御信号によって、アドレス期間には順にスキャンパルス（図示せず）が印加されるように切り換えられる。また、サステイン放電（維持放電）期間には、Ｙ電極はＹ電極駆動回路１００Ｙに接続されるように切り換えられる。このとき、Ｘ電極はＸ電極駆動回路１００Ｘに接続される。
【００４１】
Ｙ電極駆動回路１００Ｙは、詳細は図５で後述するが、第１のＹサステイン回路１０Ｙｏ、第２のＹサステイン回路１０Ｙｅおよび電力回収回路３０Ｙを含む。ここに電力回収回路３０Ｙは、第１のＹサステイン回路１０Ｙｏと第２のＹサステイン回路１０Ｙｅとで共用する構成としている。サステイン放電期間には、奇数番目のＹ電極（以下、「Ｙ奇数電極」と称する）は第１のＹサステイン回路１０Ｙｏに、偶数番目のＹ電極（以下、「Ｙ偶数電極」と称する）は第２のＹサステイン回路１０Ｙｅに接続される。
【００４２】
また、Ｘ電極駆動回路１００Ｘは、第１のＸサステイン回路１０Ｘｏ、第２のＸサステイン回路１０Ｘｅおよび電力回収回路３０Ｘとを含む。ここに電力回収回路３０Ｘは、第１のＸサステイン回路１０Ｘｏと第２のＸサステイン回路１０Ｘｅとで共用する構成としている。サステイン放電期間には、奇数番目のＸ電極（以下、「Ｘ奇数電極」と称する）は第１のＸサステイン回路１０Ｘｏに、偶数番目のＸ電極（以下、「Ｘ偶数電極」と称する）は第２のＸサステイン回路１０Ｘｅに接続される。
【００４３】
また、アドレス電極６３は、アドレス回路５０に接続される。画像信号処理回路８０は、入力された画像信号をプラズマディスプレイ装置内部での動作に適した形式に変換した後、アドレス回路５０に供給する。アドレス回路５０は、画像信号処理回路８０で変換された画像データに基づいて、アドレス期間に、スキャンドライバ２０からのスキャンパルスに応じて、表示させる画素データをアドレス電極に出力する。これによって、アドレス放電が生じる。
【００４４】
駆動制御回路７０は、プラズマディスプレイ装置の各部を制御する信号を発生して供給する。なお、図４では省略しているが、この構成にチューナ、映像音声処理回路、電源回路等を付加すれば、テレビ放送を受信し視聴できるテレビジョン受信装置とすることができる。
【００４５】
実施例２によるＡＬＩＳ方式のプラズマディスプレイ装置は、上記のように構成されており、アドレス期間には、スキャンドライバ２０からのスキャンパルスに応じて、アドレス回路５０から対応した画素データが出力され、ＰＤＰ６０はアドレス放電を行う。また、サステイン放電期間には、第１，第２Ｙサステイン回路１０Ｙｏ，１０Ｙｅおよび第１，第２Ｘサステイン回路１０Ｘｏ，１０Ｘｅによって、奇数表示ラインあるいは偶数表示ラインが駆動され、ＰＤＰ６０はサステイン放電を行う。
【００４６】
次に、図５を用いて、本実施例によるＹ電極駆動回路１００Ｙ，Ｘ電極駆動回路１００Ｘについて説明する。
【００４７】
ＰＤＰ６０をＹ電極側から駆動するＹ電極駆動回路１００Ｙは、Ｙ奇数電極をサステイン駆動する第１のＹサステイン回路１０Ｙｏ、Ｙ偶数電極をサステイン駆動する第２のＹサステイン回路１０Ｙｅ、これらに共通の電力回収回路３０Ｙ、および電力回収回路３０Ｙを交互に切り換えて各サステイン回路１０Ｙｏ，１０Ｙｅに接続するためのスイッチ３３ｙ、３４ｙ、３８ｙおよび３９ｙとを含む。
【００４８】
また、ＰＤＰ６０をＸ電極側から駆動するＸ電極駆動回路１００Ｘも、Ｙ電極駆動回路１００Ｙと同様に構成されており、Ｘ奇数電極をサステイン駆動する第１のＸサステイン回路１０Ｘｏ、Ｘ偶数電極をサステイン駆動する第２のＸサステイン回路１０Ｘｅ、これらに共通の電力回収回路３０Ｘ、電力回収回路３０Ｘを交互に切り換えて各サステイン回路１０Ｘｏ，１０Ｘｅに接続するためのスイッチ３３ｘ、３４ｘ、３８ｘおよび３９ｘとを含む。
【００４９】
以下、Ｙ電極駆動回路１００Ｙ，Ｘ電極駆動回路１００Ｘの詳細構成について説明するが、Ｙ電極駆動回路１００ＹとＸ電極駆動回路１００Ｘは同一構成であり、ここでは代表して、Ｙ電極駆動回路１００Ｙについて説明する。なお、Ｙ電極駆動回路１００ＹとＸ電極駆動回路１００Ｘにおいて、同一な機能を有する対応した要素には同一な符号を付して示し、区別する必要がある場合には、符号の後に添え字ｙ、ｘを付すものとする。
【００５０】
第１のＹサステイン回路１０Ｙｏは、例えばＭＯＳＦＥＴで構成されたスイッチ１ｙと２ｙを含む。また、第２のＹサステイン回路１０Ｙｅは、例えばＭＯＳＦＥＴで構成されたスイッチ６ｙと７ｙを含む。電力回収回路３０Ｙは、コイル３１ｙとダイオード３２ｙを直列接続し、これにコイル３６ｙとダイオード３５ｙを直列接続したものを並列接続し、一方の接続点と接地電位との間にコンデンサ３７ｙを設ける。そして、他方の接続点を各々スイッチ３３ｙと３４ｙを介して第１のＹサステイン回路１０Ｙｏへ、同様にスイッチ３８ｙと３９ｙを介して第２のＹサステイン回路１０Ｙｅへ接続したものである。電力回収回路３０Ｙは、コイルとＰＤＰのパネル容量Ｃｐとで形成される共振作用により、ＰＤＰ６０の図示しないパネル容量Ｃｐから電力を回収し、またパネル容量Ｃｐに電力を供給する。すなわち、スイッチ３４ｙと３９ｙはこれをオンすることでＹ奇数電極とＹ偶数電極のパネル容量Ｃｐから電力を回収してコンデンサ３７ｙに蓄積し、スイッチ３３ｙと３８ｙはこれをオンすることでコンデンサ３７ｙに蓄積した電力をＹ奇数電極とＹ偶数電極のパネル容量Ｃｐに供給する。このように、スイッチ３３ｙと３４ｙ、スイッチ３８ｙと３９ｙは、１つの電力回収回路３０Ｙを２つのＹサステイン回路１０Ｙｏと１０Ｙｅに交互に切り換えて接続するための制御スイッチの機能も兼ね合わせている。
【００５１】
サステイン放電期間に、第１のＹサステイン回路１０Ｙｏと第２のＹサステイン回路１０Ｙｅは、スキャンドライバ２０を通じてＰＤＰ６０のＹ奇数電極とＹ偶数電極に所定の電圧を印加するが、スキャンドライバ２０にはスイッチ２１が搭載され、このスイッチ２１はサステイン動作時には導通状態になって第１サステイン電圧，第２サステイン電圧がそのままＹ電極に伝わるようになっている。また、第１のＸサステイン回路１０Ｘｏと第２のＸサステイン回路１０Ｘｅは、Ｙサステイン回路のサステイン動作に同期して、ＰＤＰ６０のＸ奇数電極とＸ偶数電極に所定の電圧を印加する。
【００５２】
次に、図６を用いて、ＡＬＩＳ動作におけるサステイン放電期間の駆動方法について説明する。サステイン放電サイクルをｔ１からｔ７の期間に分けて示す。
【００５３】
図６（ａ）は、各Ｘ電極，Ｙ電極の駆動電圧波形である。図６では、図示を容易とするため、Ｘ１，Ｙ１電極およびＸ２，Ｙ２電極の駆動波形のみを示す。
【００５４】
奇数フィールドでは、ｔ２期間では電極Ｙ１とＸ２に電圧Ｖｓを印加し、電極Ｘ１とＹ２をグランドレベル（接地電位）とし、電極Ｘ１とＹ１間および電極Ｘ２とＹ２間で、すなわち、奇数表示ラインで放電を行わせる。ｔ２期間では、偶数表示ラインの電極Ｙ１とＸ２の間の電位差はゼロであり、放電は発生しない。ｔ６期間では、これらの電圧を反転し、電極Ｙ１とＸ２をグランドレベル（接地電位）とし、電極Ｘ１とＹ２に電圧Ｖｓを印加して、電極Ｘ１とＹ１間および電極Ｘ２とＹ２間で、すなわち、奇数表示ラインで放電を行わせる。以後これを繰り返す。
【００５５】
偶数フィールドでは、ｔ２期間では電極Ｘ１とＹ１に電圧Ｖｓを印加し、電極Ｘ２とＹ２をグランドレベルとし、電極Ｙ１とＸ２間で、すなわち、偶数表示ラインで放電を行わせる。ｔ２期間では、奇数表示ラインの電極Ｘ１とＹ１の間および電極Ｘ２とＹ２の間の電位差はゼロであり、放電は発生しない。ｔ６期間では、これらの電圧を反転し、電極Ｘ１とＹ１をグランドレベルとし、電極Ｘ２とＹ２に電圧Ｖｓを印加して、電極Ｙ１とＸ２間で、すなわち、偶数表示ラインで放電を行わせる。以後これを繰り返す。
【００５６】
図６（ｂ）（ｃ）は、電力回収回路の切り換え動作について説明するもので、（ｂ）はＹ電極側の各スイッチ１ｙ，２ｙ，３３ｙ，３４ｙ，６ｙ，７ｙ，３８ｙ，３９ｙのスイッチング動作を、（ｃ）はＸ電極側の各スイッチ１ｘ，２ｘ，３３ｘ，３４ｘ，６ｘ，７ｘ，３８ｘ，３９ｘのスイッチング動作を示す。以下、各期間ごとに説明する。
【００５７】
＜ｔ１期間＞
サステイン放電の奇数フィールド期間では、奇数番目の表示ラインである奇数ラインを点灯させるために、まずＹ奇数電極（以下、Ｙ１電極で代表する）とＸ偶数電極（以下、Ｘ２電極で代表する）に電圧Ｖｓを印加し、Ｙ偶数電極（以下、Ｙ２電極で代表する）とＸ奇数電極（以下、Ｘ１電極で代表する）をグラウンドレベル（接地電位）とする。この際の立ち上げ期間であるｔ１期間では、Ｙ１電極に電力回収回路３０Ｙのコンデンサ３７ｙから電力を供給する。勿論、電力回収回路３０Ｘのコンデンサ３７ｘからもＸ２電極に電力を供給する。そこで、Ｙ電極側では、スイッチ３３ｙがオンし、電力回収回路３０ＹがＹ１電極に接続される。また、Ｙ２電極をゼロレベルにするために第２のＹサステイン回路１０Ｙｅのスイッチ７ｙがオンする。他のスイッチはオフである。また、Ｘ電極側では、スイッチ３８ｘがオンし、電力回収回路３０ＸがＸ２電極に接続される。また、Ｘ１電極をゼロレベル（接地電位）とするために第１のＸサステイン回路１０Ｘｏのスイッチ１ｘがオンする。他のスイッチはオフである。これにより、Ｙ１電極に電力回収回路３０Ｙから電力が供給され、Ｘ２電極に電力回収回路３０Ｘから電力が供給される。
【００５８】
＜ｔ２期間＞
この期間ｔ２では、Ｙ１電極とＸ２電極に電圧Ｖｓを与える。そのため、Ｙ電極側では、第１のＹサステイン回路１０Ｙｏのスイッチ２ｙがオンする。また、引き続きＹ２電極はゼロレベルなので、第２のＹサステイン回路１０Ｙｅのスイッチ７ｙはオンを継続する。他のスイッチはオフである。また、Ｘ電極側では、第２のＸサステイン回路１０Ｘｅのスイッチ６ｘがオンする。また、引き続きＸ１電極はゼロレベルなので、第１のＸサステイン回路１０Ｘｏのスイッチ１ｘはオンを継続する。他のスイッチはオフである。
【００５９】
＜ｔ３期間＞
この期間ｔ３は、Ｙ１電極とＸ２電極への印加電圧の立ち下げ期間である。この期間では、ＰＤＰ６０に蓄積された電荷を電力回収回路３０Ｙ，３０Ｘで回収する。そこで、Ｙ電極側では、第１のＹサステイン回路１０Ｙｏのスイッチ２ｙがオフ、スイッチ３４ｙがオンし、Ｙ１電極に電力回収回路３０Ｙが接続される。また、Ｙ２電極は引き続きゼロレベルであり、第２のＹサステイン回路１０Ｙｅのスイッチ７ｙはオンが継続する。Ｘ電極側では、第２のＸサステイン回路１０Ｘｅのスイッチ６ｘがオフ、スイッチ３９ｘがオンし、Ｘ２電極に電力回収回路３０Ｘが接続される。また、Ｘ１電極は引き続きゼロレベルで、第１のＸサステイン回路１０Ｘｏのスイッチ１ｘはオンを継続する。これにより、Ｙ１電極から電力回収回路３０Ｙに電力が回収され、Ｘ２電極から電力回収回路３０Ｘに電力が回収される。
【００６０】
ｔ４期間：
この期間ｔ４は、次のサステイン放電への隙間期間である。そこで、全てのＹ電極とＸ電極をゼロレベルにするために、第１のＹサステイン回路１０Ｙｏのスイッチ１ｙがオンし、スイッチ３４ｙはオフする。第２のＹサステイン回路１０Ｙｅのスイッチ７ｙは引き続きオンが継続する。また、第２のＸサステイン回路１０Ｘｅのスイッチ７ｘがオンし、スイッチ３９ｘはオフする。第１のＸサステイン回路１０Ｘｏのスイッチ１ｘは引き続きオンが継続する。
【００６１】
＜ｔ５期間＞
ｔ４期間に続いて、Ｙ１電極，Ｘ２電極およびＹ２電極，Ｘ１電極に印加する電圧を反転するサイクルに入る。すなわち、Ｙ１電極とＸ２電極をグランドレベル（接地電位）とし、Ｘ１電極とＹ２電極に電圧Ｖｓを印加するサイクルとする。ｔ５はこのサイクルの立ち上げ期間である。このｔ５期間では、Ｙ２電極に電力回収回路３０Ｙから電力を供給する。勿論、電力回収回路３０ＸからもＸ１電極に電力を供給する。そこで、Ｙ電極側では、スイッチ３８ｙがオンし、第２のＹサステイン回路１０Ｙｅのスイッチ７ｙがオフし、電力回収回路３０ＹがＹ２電極に接続される。また、Ｙ１電極をゼロレベルにするために、第１のＹサステイン回路１０Ｙｏのスイッチ１ｙはオンが継続する。また、Ｘ電極側では、スイッチ３３ｘがオンし、第１のＸサステイン回路１０Ｘｏのスイッチ１ｘがオフし、電力回収回路３０ＸがＸ１電極に接続される。また、Ｘ２電極をゼロレベルにするために、第２のＸサステイン回路１０Ｘｅのスイッチ７ｘはオンが継続する。これにより、Ｙ２電極に電力回収回路３０Ｙから電力が供給され、Ｘ１電極に電力回収回路３０Ｘから電力が供給される。
【００６２】
＜ｔ６期間＞
この期間ｔ６では、Ｙ２電極とＸ１電極に電圧Ｖｓを与える。そのため、Ｙ電極側では、第２のＹサステイン回路１０Ｙｅのスイッチ６ｙがオンする。また、引き続きＹ１電極をゼロレベルにするため第１のＹサステイン回路１０Ｙｏのスイッチ１ｙはオンが継続し、他のスイッチはオフする。また、Ｘ電極側では、第１のＸサステイン回路１０Ｘｏのスイッチ２ｘがオンし、引き続きＸ２電極をゼロレベルにするために第２のＸサステイン回路１０Ｘｅのスイッチ７ｘはオンが継続し、他のスイッチはオフする。
【００６３】
＜ｔ７期間＞
この期間ｔ７は、Ｙ２電極とＸ１電極への印加電圧の立ち下げ期間である。この期間では、ＰＤＰ６０に蓄積された電荷を電力回収回路３０Ｙ、３０Ｘで回収する。そこで、Ｙ電極側では、第２のＹサステイン回路１０Ｙｅのスイッチ６ｙがオフ、スイッチ３９ｙがオンし、Ｙ２電極に電力回収回路３０Ｙが接続される。また、Ｙ１電極は引き続きゼロレベルであり、第１のＹサステイン回路１０Ｙｏのスイッチ１ｙはオンが継続する。Ｘ電極側では、第１のＸサステイン回路１０Ｘｏのスイッチ２ｘがオフ、スイッチ３４ｘがオンし、Ｘ１電極に電力回収回路３０Ｘが接続される。また、Ｘ２電極は引き続きゼロレベルであり、第２のＸサステイン回路１０Ｘｅのスイッチ７ｘはオンが継続する。これにより、Ｙ２電極から電力回収回路３０Ｙに電力が回収され、Ｘ１電極から電力回収回路３０Ｘに電力が回収される。
【００６４】
以上でサステイン放電の１周期が終わり、以降、この放電サイクルを奇数フィールド期間続ける。奇数フィールド期間が終了すると、偶数フィールド期間に移行する。偶数フィールド期間では、インターレース動作のため点灯ラインを切り換える。そのために、図６（ａ）で示したようにＸ１電極とＸ２電極の駆動位相を奇数フィールド期間の位相から半周期だけずらす（進み又は遅れ）ことになるが、これに伴い図６（ｃ）のようにＸ電極側のスイッチタイミングを同様にずらすことで対応できる。
【００６５】
以上述べたように、実施例２によれば、Ｙ電極およびＸ電極側において、第１（奇数電極），第２（偶数電極）のサステイン回路はそれぞれ１つの電力回収回路を共有し、接地されてないアクティブなサステイン回路側に電力回収回路の接続を交互に切り換えることにより、電力回収を支障なしに行うことができる。これにより、従来４個用いていた電力回収回路を２個に削減し、基板の小型化とともにコストダウンを図ることができる。
【００６６】
さらに上記実施例１と実施例２の構成を組み合わせることにより、ＡＬＩＳ方式のプラズマディスプレイ装置において、切り換えスイッチを追加することで４個のサステイン回路に付随する電力回収回路を１個に削減する構成も可能である。
【図面の簡単な説明】
【００６７】
【図１】実施例１に係わるプログレッシブ方式のプラズマディスプレイ装置の全体構成図である。
【図２】図１のＰＤＰの駆動回路の詳細図である。
【図３】図２の駆動回路の動作を説明する各部の電圧波形図である。
【図４】実施例２に係わるインターレース方式プラズマディスプレイ装置の全体構成図である。
【図５】図４のＰＤＰの駆動回路の詳細図である。
【図６】図５の駆動回路の動作を説明する各部の電圧波形図である。
【符号の説明】
【００６８】
１，２，６，７，２１，３３，３４，３８，３９…スイッチ、
１０Ｙ，１０Ｙｏ，１０Ｙｅ…Ｙサステイン回路、
１０Ｘ，１０Ｘｏ，１０Ｘｅ…Ｘサステイン回路、
２０…スキャンドライバ、
３０，３０Ｙ，３０Ｘ…電力回収回路、
３１，３６…コイル、
３２，３５…ダイオード、
３７，３７Ｙ，３７Ｘ…コンデンサ、
５０…アドレス回路、
６０…ＰＤＰ、
６１…Ｘ電極（共通電極）、
６２…Ｙ電極（走査電極）、
６３…アドレス電極、
７０…駆動制御回路、
８０…画像信号処理回路、
１００Ｙ…Ｙ電極駆動回路、
１００Ｘ…Ｘ電極駆動回路、
２００…ＸＹ電極駆動回路。
【図１】
2008151960.tif 000003
【図２】
2008151960.tif 000004
【図３】
2008151960.tif 000005
【図４】
2008151960.tif 000006
【図５】
2008151960.tif 000007
【図６】
2008151960.tif 000008